(57)【要約】      （修正有）【課題】シャコ万力で物品を保持するに当たり、固定する物品が丸みを帯びたものや歪曲したものや湾曲したものであっても安定して固定できるしゃこ万力を提供する。【解決手段】垂下部３と前記垂下部の先端から側方に延設された水平部４とからなる略Ｌ字状の基台２と、前記基台の水平部から前記基台の水平部と同一方向に二股状に分岐して延設された延設部５ａ、５ｂと、前記延設部から下方にそれぞれ垂下され前記基台の垂下部と対面する位置まで垂下された垂下部６ａ、６ｂとからなる略Ｌ字状のアーム部７ａ、７ｂと、前記アーム部の垂下部の先端内側にそれぞれ形成された第１、第２の保持部９ａ、９ｂと、前記基台の垂下部に形成されたネジ部１１に螺合して前記第１、第２保持部に対して近接遠離する第３の保持部９ｃを先端に有する作動ネジ１０を備える。【選択図】図１
0003180976.tif 000002
【実用新案登録請求の範囲】
【請求項１】
垂下部と前記垂下部の先端から側方に延設された水平部とからなる略Ｌ字状の基台と、前記基台の水平部から前記基台の水平部と同一方向に二股状に分岐して延設された延設部と、前記延設部から下方にそれぞれ垂下され前記基台の垂下部と対面する位置まで垂下された垂下部とからなる略Ｌ字状のアーム部と、前記アーム部の垂下部の先端内側にそれぞれ形成された第１、第２の保持部と、前記基台の垂下部に形成されたネジ部に螺合して前記第１、第２保持部に対して近接遠離する第３の保持部を先端に有する作動ネジを備えたことを特徴とするシャコ万力。
【請求項２】
作動ネジの後端面には六角レンチが挿入される六角穴が形成されている請求項１記載のシャコ万力。
【考案の詳細な説明】
【技術分野】
【０００１】
本考案は、シャコ万力に関するものである。
【背景技術】
【０００２】
従来のシャコ万力は、垂下部と前記垂下部の先端から側方に延設された水平部とからなる略Ｌ字状の基台と、前記基台の水平部から前記基台の水平部と同一方向に延設された延設部と、前記延設部から下方に垂下され前記基台の垂下部と対面する位置まで垂下された垂下部とからなる略Ｌ字状のアーム部と、前記アーム部の垂下部の先端内側に形成された第１の保持部と、前記基台の垂下部に形成されたネジ部に螺合して前記第１の保持部に対して近接遠離する第２の保持部を先端に有する作動ネジを備えたものであり、前記第１の保持部と第２の保持部とで物品を固定する工具である。
【０００３】
シャコ万力で固定する物品は、必ずしも平行なものばかりとは限られていない。丸みを帯びたものや歪曲したものや湾曲したものもあり、これらを特許文献１及び２に示す従来のシャコ万力を用いて固定するには不安があるものである。また、シャコ万力で物品を保持するには、直線状に配置された第１の保持部と第２の保持部との２点支持となり、シャコ万力の側方からの外力によりシャコ万力が物品から容易に外れるという問題点がある。また、図４に示す従来例にあっては、作動ネジ１０の後端部は六角ボルト１２と早締め用スライド式のハンドルＨが設けられているが、ハンドルＨの一端が床面等に接触すると、ハンドルを回転できないという問題点があった。
【先行技術文献】
【特許文献】
【０００４】
【特許文献１】特開２００９−１２５９２４号公報
【特許文献２】特開平８−３７８９号公報
【考案の概要】
【考案が解決しようとする課題】
【０００５】
本考案は、略Ｌ字状の２本のアーム部を基台から延出し、前記アーム部の垂下部の先端内側にそれぞれ形成された第１、第２の保持部と、前記基台の垂下部に形成されたネジ部に螺合して前記第１、第２保持部に対して近接遠離する第３の保持部の３個の保持部で二等辺三角形を作るようにして最も適した状態で物品を確実に、かつ強固に固定することができるようにすることにより、従来の問題点を解決したものである。
【課題を解決するための手段】
【０００６】
本考案のシャコ万力は、上記問題点を鑑みてなされたものであり、垂下部と前記垂下部の先端から側方に延設された水平部とからなる略Ｌ字状の基台と、前記基台の水平部から前記基台の水平部と同一方向に二股状に分岐して延設された延設部と、前記延設部から下方にそれぞれ垂下され前記基台の垂下部と対面する位置まで垂下された垂下部とからなる略Ｌ字状のアーム部と、前記アーム部の垂下部の先端内側にそれぞれ形成された第１、第２の保持部と、前記基台の垂下部に形成されたネジ部に螺合して前記第１、第２保持部に対して近接遠離する第３の保持部を先端に有する作動ネジを備えたことを特徴とする。
【考案の効果】
【０００７】
本考案は、水平部と垂下部とからなる略Ｌ字状の基台と、前記基台から延出された水平部と前記垂下部と前記垂下部の先端から側方に延設された水平部とからなる略Ｌ字状の基台と、前記基台の水平部から前記基台の水平部と同一方向に二股状に分岐して延設された延設部と、前記延設部から下方にそれぞれ垂下され前記基台の垂下部と対面する位置まで垂下された垂下部とからなる略Ｌ字状のアーム部と、前記アーム部の垂下部の先端内側にそれぞれ形成された第１、第２の保持部と、前記基台の垂下部に形成されたネジ部に螺合して前記第１、第２保持部に対して近接遠離する第３の保持部を先端に有する作動ネジを備えたことを特徴とするものであるから、第１、第２保持部に対して近接遠離する第３の保持部の３個の保持部で二等辺三角形を作るようにして最も適した状態で物品を確実に、かつ強固に固定することができるという効果がある。
【図面の簡単な説明】
【０００８】
【図１】図１は、本考案のシャコ万力の斜視図である。
【図２】図２は、同上のシャコ万力の平面図である。
【図３】図３は、同上のシャコ万力の背面図である。
【図４】図４は、従来例における図１と対応する正面図である。
【考案を実施するための形態】
【０００９】
以下、本考案の実施形態について、図１乃至図３を参照して詳細に説明する。シャコ万力１は、略Ｌ字状の基台２と、略Ｌ字状の２本のアーム部４と、アーム部の垂下部の先端内側にそれぞれ形成された第１の保持部９ａ、第２の保持部９ｂと、基台２の垂下部３に形成されたネジ部に螺合して前記第１、第２保持部に対して近接遠離する第３の保持部９ｃを先端に有する作動ネジ１０を備えている。
【００１０】
基台２は、剛性が高い材質である炭素鋼又はステンレス鋼や特殊鋼で形成されており、垂下部３と垂下部３の先端から側方に延設された水平部４とでＬ字状に形成されている。
【００１１】
基台２には、基台２の水平部４から水平部４と同一方向に二股状に分岐して延設された延設部５ａ、５ｂと、延設部５ａ、５ｂから下方にそれぞれ垂下され、基台２の垂下部３と対面する位置まで垂下された垂下部６ａ、６ｂからなる略Ｌ字状の２本のアーム部７ａ、７ｂが一体的に形成されている。
延設部５ａ、５ｂは、基台２から離れるに従って相互の間隔が開くＶ字部８と、相互の間隔が一定の距離を維持する平行部１０ａ、１０ｂとから構成されている。
【００１２】
第１の保持部９ａは、第１のアーム部４ａの垂下部６ａの先端内側に形成されており、第２の保持部９ｂは、第２のアーム部４ｂの垂下部６ｂの先端内側に形成されている。
【００１３】
第１の保持部９ａ、第２の保持部９ｂに対して近接遠離する第３の保持部９ｃを先端に有する作動ネジ１０が基台２の垂下部３に形成されたネジ部１１に螺合している。第１の保持部９ａと第２の保持部９ｂと第３の保持部９ｃとは同一平面状に位置しており、二等辺三角形を形成している。
【００１４】
作動ネジ１０の後端部は六角ボルト１２が設けられており、六角ボルト１２の後端面には六角レンチが挿入される六角穴１３が形成されている。
【００１５】
従来の早締め用スライド式のハンドルは、採用しないで六角穴１３に断面形状六角のＬ形レンチを使用することでスムーズな締め付けが可能となるものである。また、六角ボルト１２の周胴に断面形状六角のＬ形レンチを挿入可能な開口部１４を開けることで、断面形状六角のＬ形レンチを併用して使用することができ、作業の効率化を図ることができるものである。
【００１６】
実施例にあっては、基台２と延設部５ａ、５ｂとを一体的に形成したが、別部材で形成し、ネジ止めしても構わないものであり、第１のアーム部４ａの垂下部６ａと、第２のアーム部４ｂの垂下部６ｂとの間隔を不変なものにしたが、可変なものにし必要に応じて間隔を変えるようにしても構わないものである。
【符号の説明】
【００１７】
１  シャコ万力
２  基台
３  垂下部
４  水平部
５  延設部
６  垂下部
７  アーム部
８  Ｖ字部
９  保持部
１０  作動ネジ
１１  ネジ部
１２  六角ボルト
１３  六角穴
【図１】
0003180976.tif 000003
【図２】
0003180976.tif 000004
【図３】
0003180976.tif 000005
【図４】
0003180976.tif 000006